(57)【要約】【課題】特別な治具を用いずに簡単にユニットの機能を完全停止させることのできる電子制御ユニットを提供する。【解決手段】ユニットケース１０と、ケース内に収容された回路基板３０と、ユニットケースに装備された導電部材２１と、回路基板が正位置に位置決めされたとき、導電部材の接点部と係合し導通することで、電子回路と導電部材とを電気接続する導通ポイント３１と、回路基板の板面上の該回路基板の回転中心を中心とする円周上に設けられ、回路基板が前記正位置から故障時操作位置に回転されたとき、導電部材の接点部と係合することで、該接点部と電子回路との導通を遮断してその状態を保持する絶縁ポイント３２と、を備える。ユニットケースの互いに対向する一対の側壁１１には溝１６が設けられており、その溝に回路基板の円弧状の外周部が挿入されることで、回路基板がユニットケース内に回転可能に支持されている。【選択図】図１
2009018675.tif 000002
【特許請求の範囲】
【請求項１】
ユニットケースと、
電子回路を搭載し、前記ユニットケース内に回転可能に収容された回路基板と、
前記回路基板上の電子回路と電気接続するために前記ユニットケースに装備された導電部材と、
前記回路基板の板面上の該回路基板の回転中心を中心とする円周上に設けられ、前記回路基板が正位置に位置決めされたとき、前記導電部材の接点部と係合し導通することで、前記電子回路と前記導電部材とを電気接続する導通ポイントと、
前記回路基板の板面上の該回路基板の回転中心を中心とする円周上に設けられ、前記回路基板が前記正位置から故障時操作位置に回転されたとき、前記導電部材の接点部と係合することで、該接点部と前記電子回路との導通を遮断してその状態を保持する絶縁ポイントと、
を備えることを特徴とする電子制御ユニット。
【請求項２】
請求項１に記載の電子制御ユニットであって、
前記ユニットケースの互いに対向する一対の側壁に溝が設けられており、その溝に前記回路基板の円弧状の外周部が挿入されることで、前記回路基板が前記ユニットケース内に回転可能に支持されていることを特徴とする電子制御ユニット。
【請求項３】
請求項２に記載の電子制御ユニットであって、
前記ユニットケースに設けられた開口から、前記回路基板に設けられた回転操作用の取っ手が外に出されており、その取っ手を操作するにより、前記回路基板が正位置から故障時操作位置までの範囲で回転可能とされていることを特徴とする電子制御ユニット。
【請求項４】
請求項１〜３のいずれか１項に記載の電子制御ユニットであって、
前記導電部材が、前記接点部を前記回路基板の板面に押圧接触させるようバネ力により付勢されており、前記導通ポイント及び絶縁ポイントが凹所として構成されると共に、前記接点部が、前記凹所に嵌まる凸部として構成されていることを特徴とする電子制御ユニット。
【請求項５】
請求項１〜４のいずれか１項に記載の電子制御ユニットであって、
前記導通ポイントが、スルーホールまたはビアポストにより構成されていることを特徴とする電子制御ユニット。
【発明の詳細な説明】
【技術分野】
【０００１】
本発明は、自動車に搭載する電子制御ユニットに係り、特にユニットが故障した場合に、その機能を容易に完全停止させることのできる電子制御ユニットに関する。
【背景技術】
【０００２】
自動車には種々の電子制御ユニットが搭載されている（例えば、特許文献１参照）。このような自動車に搭載された電子制御ユニッに故障が生じた場合、そのまま放置すると不都合な事態を招くことがあるので、そのような場合、ユニットの機能を完全停止させる必要がある。
【０００３】
従来、ユニットの機能を完全停止させる場合には、基板切断用の治具を用いて回路基板上の配線を切断することにより、機能を停止させている。
【特許文献１】特開２０００−２５１９６６号公報
【発明の開示】
【発明が解決しようとする課題】
【０００４】
しかし、基板切断用の治具を使用する場合、常に治具を用意しておかなければならないので、コストが高くつく。また、基板切断用治具の保有者以外では操作ができないという問題もある。
【０００５】
本発明は、上記事情を考慮し、特別な治具を用いずに簡単にユニットの機能を完全停止させることのできる電子制御ユニットを提供することを目的とする。
【課題を解決するための手段】
【０００６】
請求項１の発明は、ユニットケースと、電子回路を搭載し、前記ユニットケース内に回転可能に収容された回路基板と、前記回路基板上の電子回路と電気接続するために前記ユニットケースに装備された導電部材と、前記回路基板の板面上の該回路基板の回転中心を中心とする円周上に設けられ、前記回路基板が正位置に位置決めされたとき、前記導電部材の接点部と係合し導通することで、前記電子回路と前記導電部材とを電気接続する導通ポイントと、前記回路基板の板面上の該回路基板の回転中心を中心とする円周上に設けられ、前記回路基板が前記正位置から故障時操作位置に回転されたとき、前記導電部材の接点部と係合することで、該接点部と前記電子回路との導通を遮断してその状態を保持する絶縁ポイントと、を備えることを特徴とする。
【０００７】
請求項２の発明は、請求項１に記載の電子制御ユニットであって、前記ユニットケースの互いに対向する一対の側壁に溝が設けられており、その溝に前記回路基板の円弧状の外周部が挿入されることで、前記回路基板が前記ユニットケース内に回転可能に支持されていることを特徴とする。
【０００８】
請求項３の発明は、請求項２に記載の電子制御ユニットであって、前記ユニットケースに設けられた開口から、前記回路基板に設けられた回転操作用の取っ手が外に出されており、その取っ手を操作するにより、前記回路基板が正位置から故障時操作位置までの範囲で回転可能とされていることを特徴とする。
【０００９】
請求項４の発明は、請求項１〜３のいずれか１項に記載の電子制御ユニットであって、前記導電部材が、前記接点部を前記回路基板の板面に押圧接触させるようバネ力により付勢されており、前記導通ポイント及び絶縁ポイントが凹所として構成されると共に、前記接点部が、前記凹所に嵌まる凸部として構成されていることを特徴とする。
【００１０】
請求項５の発明は、請求項１〜４のいずれか１項に記載の電子制御ユニットであって、前記導通ポイントが、スルーホールまたはビアポストにより構成されていることを特徴とする。
【発明の効果】
【００１１】
請求項１の発明によれば、電子回路が故障したとき、回路基板を正位置から故障時操作位置まで回転させることにより、導通部材の接点部を、導通ポイントから外して、絶縁ポイントに位置決めすることができる。従って、導通部材の接点部を絶縁ポイントに位置決めすることによって、確実に電子回路と導電部材を絶縁状態に保つことができて、電子回路の機能を停止させることができる。このように、回路基板を回すだけで電子回路の機能を停止させることができるので、特別な治具が必要なく、コスト低減を図れると共に、誰でも機能の完全停止の処置を施すことができる。
【００１２】
請求項２の発明によれば、ユニットケースの側壁に形成した溝に、回路基板の円弧状の外周部を挿入するだけで、回路基板を回転可能に支持することができるので、故障時対策のための構造の単純化を図ることができ、コストアップを抑えることができる。
【００１３】
請求項３の発明によれば、故障時には、ケース外に出ている取っ手を操作するだけで、内部の回路基板を故障時操作位置まで回すことができるので、故障時操作が簡単にできる。
【００１４】
請求項４の発明によれば、回路基板上の導通ポイント及び絶縁ポイントを凹所として形成し、その凹所に、凸部として形成した接点部をバネ力によって嵌めるようにしているので、凸部と凹所の噛み合いにより、回路基板を正位置または故障時操作位置に確実に保持しておくことができる。
【００１５】
請求項５の発明によれば、通電ポイントをスルーホールまたはビアポストにより構成したので、導通ポイントを簡単に作ることができる。
【発明を実施するための最良の形態】
【００１６】
以下、本発明の実施形態を図面を参照して説明する。
【００１７】
図１は実施形態の電子制御ユニットの概略構成を示す斜視図、図２は同ユニットの内部構成を示す図で、（ａ）は回路基板が正位置にある正常時の状態、（ｂ）は回路基板を故障時操作位置に回転させた異常時の状態を示す平面図、図３は図１のＩＩＩ部の構成例を示す図で、（ａ）は回路基板が正位置にあるときの状態、（ｂ）は回路基板を故障時操作位置まで回転させる際の途中の状態、（ｃ）は回路基板を故障時操作位置まで回転させた後の状態をそれぞれ示す側断面図である。
【００１８】
この実施形態の電子制御ユニットは、筐体であるユニットケース１０と、電子回路（電子部品を含む回路）３６を搭載し、ユニットケース１０内に回転可能に収容された回路基板３０と、回路基板３０上の電子回路３６と電気接続するためにユニットケース１０の内奥部に装備された一対の導電部材２１と、回路基板３０の板面上の回路基板３０の回転中心を中心とする円周上に設けられ、回路基板３０が正位置に位置決めされたとき、導電部材２１の接点部２１ａと係合し導通することで、電子回路３６と導電部材２１とを電気接続する導通ポイント３１と、回路基板３０の板面上の回路基板３０の回転中心を中心とする円周上に設けられ、回路基板３０が正位置から故障時操作位置に回転されたとき、導電部材２１の接点部２１ａと係合することで、接点部２１ａと電子回路３６との導通を遮断してその状態を保持する絶縁ポイント３２と、を備えている。
【００１９】
ユニットケース１０は、四角い箱形のもので、１対の左右側壁１１と、後面奥壁１２と、前面開口１３と、上板１４及び天板１５とを備えており、左右側壁１１に対向する溝１６が設けられている。そして、それらの対向する溝１６に、円板状の回路基板３０の左右の外周部（円弧状の外周部）が挿入されることで、回路基板３０がユニットケース１０内に回転可能に支持されている。
【００２０】
また、回路基板３０の外周の一部には回転操作用の取っ手３５が突設され、その取っ手３５が溝１６に連続し形成された開口１７より外部に出されており、その取っ手３５を操作するにより、回路基板３０を正位置から故障時操作位置まで回転操作できるようになっている。
【００２１】
図３に示すように、導電部材２１は、自身のバネ力により、接点部２１ａを回路基板３０の下面に押圧接触させている。導通ポイント３１及び絶縁ポイント３２は、回路基板３０の下面に凹所として形成されており、接点部２１ａは、それら凹所に嵌まる凸部として形成されている。また、バネ性を持つ導電部材２１の上側のユニットケース１０上には、導電部材２１をそのバネ力に抗して下方へ変位させるロック部２５が設けられている。
【００２２】
なお、導通ポイント３１は、回路基板３０上に形成したスルーホールまたはビアポストにより簡単に構成することができる。
【００２３】
次に作用を説明する。
【００２４】
正常時は、回路基板３０が正位置にあることで、導電部材２１の接点部２１ａが導通ポイント３１に凹凸係合しており、接点部２１ａと導通ポイント３１が接触導通していることにより、導電部材２１を介して、回路基板３０上の電子回路３６とユニットケース１０側の回路とが電気接続されている。従って、電子回路３６は、通常の機能を発揮することができる。
【００２５】
一方、電子回路３６が故障したときには、図２（ａ）に示すように正位置に位置決めされた回路基板３０を、取っ手３５を操作することにより矢印Ａ方向に回して、（ｂ）に示すように故障時操作位置に位置決めする。そうすると、導通部材２１の接点部２１ａが、導通ポイント３１から外れて、絶縁ポイント３２に係合することになり、それによって、確実に回路基板３０上の電子回路３６と導電部材２１の導通が遮断される。従って、回路基板３０上の電子回路３６とユニットケース１０側の回路が絶縁状態に保たれることにより、電子回路３６の機能が完全に停止される。
【００２６】
この場合、図３（ａ）に示す正位置にある状態から、（ｂ）に示すように、ロック部２５を矢印Ｂのように一旦押し下げて、導電部材２１を下方に撓ませ、凸形の接点部２１ａと凹形の導電ポイント３１との係合を解除する。次にその状態で、回路基板３０を矢印Ａのように回転させ、導電部材２１の接点部２１ａの係合位置を、（ａ）に示す導電ポイント３１から（ｃ）に示す絶縁ポイント３２に切り替える。こうすることで、回路基板３０上の電子回路３６と導電部材２１の導通を確実に遮断することができる。
【００２７】
このように、回路基板３０を回すだけで電子回路３６の機能を停止させることができるので、特別な治具が必要なく、コスト低減を図れると共に、誰でも機能の完全停止の処置を施すことができる。
【００２８】
また、実施形態の電子制御ユニットの場合、ユニットケース１０の側壁１１に形成した溝１６に、回路基板３０の円弧状の左右外周部を挿入するだけで、回路基板３０を回転可能に支持することができるので、故障時対策のための構造の単純化を図ることができて、コストアップを抑えることができる。
【００２９】
また、故障時には、ユニットケース１０外に出ている取っ手３５を操作するだけで、内部の回路基板３０を故障時操作位置まで回すことができるので、故障時操作が簡単にできる。
【００３０】
また、実施形態の電子制御ユニットの場合、回路基板３０上の導通ポイント３１及び絶縁ポイント３２を凹所として形成し、その凹所に、凸部として形成した導電部材２１の接点部２１ａをバネ力によって嵌めるようにしているので、凸部と凹所の噛み合いにより、回路基板３０を正位置または故障時操作位置に確実に保持しておくことができる。
【００３１】
なお、上記実施形態では、回路基板３０が円板状のものである場合を示したが、左右側縁部だけが円弧状に形成され、溝１６に嵌めた状態で回路基板３０を回転自在に支持するものであってもよい。
【図面の簡単な説明】
【００３２】
【図１】本発明の実施形態の電子制御ユニットの概略構成を示す斜視図である。
【図２】同ユニットの内部構成を示す図で、（ａ）は回路基板が正位置にある正常時の状態、（ｂ）は回路基板を故障時操作位置に回転させた異常時の状態を示す平面図である。
【図３】図１のＩＩＩ部の構成例を示す図で、（ａ）は回路基板が正位置にあるときの状態、（ｂ）は回路基板を故障時操作位置まで回転させる際の途中の状態、（ｃ）は回路基板を故障時操作位置まで回転させた後の状態をそれぞれ示す側断面図である。
【符号の説明】
【００３３】
１０  ユニットケース
１１  側壁
１６  溝
１７  開口
２１  導電部材
２１ａ  接点部
３０  回路基板
３１  導電ポイント
３２  絶縁ポイント
３５  取っ手
３６  電子回路
【図１】
2009018675.tif 000003
【図２】
2009018675.tif 000004
【図３】
2009018675.tif 000005